(57)【要約】【課題】良好に凸条面上の水を浅い排水溝で切ることができ、水切れが良好で、しかも、深い排水溝の本数を減らして清掃性が向上する洗い場面構造を提供する。【解決手段】間隔をおいて延びる複数の深い排水溝３，３間に、それぞれ上方へアーチ状に膨出した凸条面４，４が形成され、少なくとも一部の凸条面４には、隣り合う深い排水溝３，３間を繋げる浅い排水溝５が形成され、この浅い排水溝５は、溝底が上方へアーチ状に膨出されている。【選択図】図２
2007262842.tif 000002
【特許請求の範囲】
【請求項１】
間隔をおいて延びる複数の深い排水溝間にそれぞれ上方へアーチ状に膨出した凸条面が形成され、少なくとも一部の凸条面には隣り合う前記深い排水溝間を繋げる浅い排水溝が形成され、該浅い排水溝は、溝底が上方へアーチ状に膨出されていることを特徴とする浴室の洗い場面構造。
【請求項２】
前記浅い排水溝は、段差なく前記深い排水溝に繋げられていることを特徴とする請求項１に記載の浴室の洗い場面構造。
【発明の詳細な説明】
【技術分野】
【０００１】
本発明は、浴室における洗い場面の構造に関するものである。
【背景技術】
【０００２】
従来、水溜まりができることなく、早期に乾燥させることのできる浴室の洗い場面構造として、例えば特許文献１に開示されているような凸形状と凹形状の溝を組み合わせたモザイクパターンのものが存在する。
【特許文献１】特開２００３−１７６５５８号公報
【発明の開示】
【発明が解決しようとする課題】
【０００３】
上記特許文献１に開示されているようなモザイクパターンの浴室の洗い場面構造では、乾燥性能は向上するが、溝に付着した汚れが掃除し難いという新たな問題が生じていた。
【課題を解決するための手段】
【０００４】
本発明は上記従来の問題点に鑑み案出したものであって、清掃性が向上する浴室の洗い場面構造を提供するものであり、その請求項１は、間隔をおいて延びる複数の深い排水溝間にそれぞれ上方へアーチ状に膨出した凸条面が形成され、少なくとも一部の凸条面には隣り合う前記深い排水溝間を繋げる浅い排水溝が形成され、該浅い排水溝は、溝底が上方へアーチ状に膨出されていることである。
【０００５】
また請求項２は、前記浅い排水溝は、段差なく前記深い排水溝に繋げられていることである。
【発明の効果】
【０００６】
本発明の浴室の洗い場面構造は、間隔をおいて延びる複数の深い排水溝間にそれぞれ上方へアーチ状に膨出した凸条面が形成され、少なくとも一部の凸条面には隣り合う前記深い排水溝間を繋げる浅い排水溝が形成され、該浅い排水溝は、溝底が上方へアーチ状に膨出されていることにより、浅い排水溝で凸条面上の水の膜が切れて、凸条面上の水を良好に深い排水溝内に流れ込ませて、良好に排水することができるものとなり、水切れ性が良く、また深い排水溝の本数は減らすことができるため、掃除し難い深い排水溝が減ることで清掃性が向上するものとなる。
【０００７】
また、前記浅い排水溝は、段差なく前記深い排水溝に繋げられていることにより、深い排水溝が床の勾配方向に対して直交する向きに並んでも、浅い排水溝が深い排水溝間を繋ぎ、良好に排水できるものとなる。また、浅い排水溝の汚れは落とし易く、深い排水溝を清掃する際に浅い排水溝がブラシ等の妨げにならず、深い排水溝の汚れも良好に落とすことができるものとなる。
【実施例】
【０００８】
以下、本発明の実施例を図面に基づいて説明する。
図１は、浴室の洗い場面の平面構成図であり、浴室の洗い場面１は図示しない浴槽側に排水口２が形成され、この排水口２に向かう縦方向に延びる深い排水溝３が、横方向に所定間隔で平行に複数形成されており、一対の深い排水溝３，３間には、それぞれ上方へアーチ状に膨出した凸条面４が排水口２に向かって縦方向にそれぞれ形成され、また、各凸条面４には、隣り合う深い排水溝３，３間を繋げる浅い排水溝５が形成されており、本例では、深い排水溝３と浅い排水溝５により、平面視して一辺が３０ｍｍの四角い升目が形成されている。
なお、排水口２に向かって水勾配を形成させるために、洗い場面１には勾配折り目６ａ，６ｂが形成されており、この勾配折り目６ａ，６ｂ間はａゾーン１ａとなっており、また勾配折り目６ａの図示左側はｂゾーン１ｂとなっており、また勾配折り目６ｂの図示右側はｃゾーン１ｃとなっている。
ａゾーン１ａの排水口２に向かう水勾配は１／４５〜１／２８、即ち１．３°〜２°の勾配に設定されている。また、ｂゾーン１ｂ及びｃゾーン１ｃの水勾配は１／２９〜１／２３、即ち２°〜２．５°の水勾配に設定されている。
【０００９】
図２は、深い排水溝３と凸条面４と浅い排水溝５の一部を拡大して示す斜視図であり、図２では、図６の要部断面図に示すように、浅い排水溝５は、凸条面４よりも曲率半径が大なるアーチ状に溝底が上方に膨出されて、浅い排水溝５の左右端が深い排水溝３の上端に繋がり、凸条面４と深い排水溝３の繋がる部分に上方へ立ち上がる立上面４ａが形成されている。
【００１０】
なお、図３，図４，図５に示すものは変更例であり、図３では、図７の要部断面図に示すように、浅い排水溝５の左右端が深い排水溝３の深さ方向の途中に繋げられている。
図４では、図８の要部断面図に示すように、浅い排水溝５の左右端が深い排水溝３の下端に繋げられたものとなっている。
更に、図５では、図９の要部断面図に示すように、浅い排水溝５の左右端が深い排水溝５の谷底に連続して繋げられたものとなっており、立上面４ａが形成されることなく、凸条面４に外接する円弧で各凸条面４が深い排水溝３に繋げられたものとなっている。
【００１１】
なお、図１０は、凸条面４の頂上で切断して、浅い排水溝５を示したものであり、浅い排水溝５は、例えばその幅ｄが２．５〜５ｍｍに設定されている。
なお、図９に示したような浅い排水溝５が深い排水溝５の谷底に連続する場合は、浅い排水溝５を深い排水溝３の谷底に沿って切断すると、図１１のような断面となる。
【００１２】
なお、凸条面４と深い排水溝３の概略図を図１２に示して寸法例を挙げると、図１２においては、前記図２，図３，図４の斜視図で示すような形状の場合であり、図中ａで示す深い排水溝３，３間の距離は、１５ｍｍ〜３０ｍｍに設定されており、また深い排水溝３の幅寸法ｂは、３ｍｍ〜４ｍｍに設定されており、また深い排水溝３の溝底から凸条面４の頂上までの高さ寸法ｃは、１．２ｍｍ〜１．６５ｍｍに設定されている。また、立上面４ａの高さは、０．６ｍｍ〜１ｍｍに設定されている。
また、凸条面４を形成する曲面Ｒ１は、曲率半径２０〜１５２ｍｍに設定されており、また深い排水溝３を形成する凹状の曲面Ｒ２は、曲率半径２〜４ｍｍに設定されており、凸条面４から立上面４ａに繋がる曲面Ｒ３は、曲率半径２〜１０ｍｍに設定されている。
【００１３】
なお、図５および図９に示すように、凸条面４と深い排水溝３が、凸条面４に外接する円弧で繋がる形状の場合は、図１３に示すように、凸条面４を形成する曲面Ｒ１は、曲率半径１５〜１２０ｍｍに設定されており、深い排水溝３の溝底から凸条面４の頂上間の寸法ｃは、１．２ｍｍ〜１．４ｍｍに設定されている。
【００１４】
また、浅い排水溝５の寸法は、図１４，図１５，図１６に示すような寸法設定となっており、図１４は、前記図２または図３に示す浅い排水溝５の寸法であり、浅い排水溝５の溝底を形成する上方へアーチ型に膨出する曲面Ｒ４は、曲率半径３０〜４５５ｍｍに設定されており、深い排水溝３の溝底から浅い排水溝５の溝底の頂点までの高さｅは、０．８〜１ｍｍの範囲に設定されている。
また、図１５は、前記図４に示す浅い排水溝５の寸法であり、浅い排水溝５の溝底を形成する上方へアーチ型に膨出する曲面Ｒ４は、曲率半径２０〜１６０ｍｍに設定されており、深い排水溝３の溝底から浅い排水溝５の溝底の頂点までの高さｅは、０．８〜１ｍｍに設定されている。
また、図１６は、前記図５に示す浅い排水溝５の寸法であり、浅い排水溝５の溝底を形成する上方へアーチ型に膨出する曲面Ｒ４は、曲率半径２０〜１６０ｍｍに設定されており、深い排水溝３の溝底から浅い排水溝５の溝底の頂点までの高さｅは、０．８〜１ｍｍに設定されている。
【００１５】
なお、浅い排水溝５は図１７に拡大して示すように、浅い排水溝５を形成する下方側へ凹状をなすアーチ状の曲面Ｒ５は、曲率半径２〜４ｍｍに設定されており、浅い排水溝５の幅長ｄは前述した如く、２．５〜５ｍｍに設定されており、凸条面４と浅い排水溝５の繋ぎ部分の曲面Ｒ６は、曲率半径２〜３ｍｍに設定されている。
なお、浅い排水溝５は凸条面４に向かって溝底から傾斜角αで傾斜して立ち上がり、この傾斜角αは２５〜３０°の範囲に設定されている。
【００１６】
このように、何れの場合にも、浅い排水溝５の溝底が上方へアーチ状に膨出する曲面Ｒ４であるため、凸条面４上の水が浅い排水溝５で切られると同時に、浅い排水溝５のアーチに沿って凸条面４上の水が両側の深い排水溝３内に流れ落ちて、良好に凸条面４上の水が排水されるものとなり、凸条面４上の水切れが極めて良好なものとなり、排水性能が高まり、早期に洗い場面１を乾燥させることができ、しかも、浅い排水溝５はアーチ状をなしているため、水がこの浅い排水溝５に残ることがなく、浅い排水溝５により水切れが良好なものとなるため、深い排水溝３の溝数を減らすことができ、掃除し難い深い排水溝３の数が減ることで、清掃性が向上するものとなる。
【００１７】
また、図４のように、浅い排水溝５の左右端と深い排水溝３とを段差なく繋げた構成では、深い排水溝３が床の勾配方向に対して直交する向きに並んでも、浅い排水溝５が深い排水溝３間を繋ぎ、良好に排水できるものとなる。また、更に図５に示すように、凸条面４と深い排水溝３を段差なく繋げた構成においては、浅い排水溝５の汚れが落とし易いものとなり、深い排水溝３をブラシ等で掃除する際に、浅い排水溝５が妨げにならず、深い排水溝３の汚れを落とし易いものとなる。
【００１８】
なお、図１の洗い場面１では、深い排水溝３と浅い排水溝５を碁盤の目状に形成させたものを例示しているが、深い排水溝３と浅い排水溝５によるモザイクパターンは様々なパターンが考えられ、浅い排水溝５で良好に凸条面４上の水を切り、同時に凸条面４上の水を深い排水溝３に流し込ませることができるものであれば、如何なるモザイクパターンでも良いが、以下図１８〜図３５には、深い排水溝３と浅い排水溝５による洗い場面１のモザイクパターンの変更バージョンを例示する。
【００１９】
図１８のパターンは、平行に延びる深い排水溝３，３間に、傾斜させて浅い排水溝５を形成させ、浅い排水溝５は、横方向に交互に傾斜方向を変えて山と谷状に連続して形成したものである。
また、図１９のパターンでは、浅い排水溝５の山と谷状に連続した部分を、更に別の浅い排水溝５で繋げて形成したものである。
また、図２０のパターンでは、間隔をおいて平行に延びる３本の深い排水溝３，３間を１本の斜め方向の浅い排水溝５で繋げ、この浅い排水溝５を横方向に交互に傾斜方向を変えて山と谷状に連続して形成したものである。
また、図２１のパターンでは、間隔をおいて平行に延びる複数の深い排水溝３，３間を１本の斜め方向の浅い排水溝５で繋げ、この浅い排水溝５を平行に複数形成したものである。
【００２０】
また、図２２のパターンでは、各凸条面４に、斜めの浅い排水溝５を平行に複数形成し、隣接する凸条面４では浅い排水溝５の位置をずらせたものである。
また、図２３のパターンでは、複数の深い排水溝３，３間を１本の斜め方向の浅い排水溝５で繋げ、この浅い排水溝５を平行に複数形成し、更に反対方向に傾斜した平行な複数の浅い排水溝５を設けて、方向の異なる浅い排水溝５，５を菱形状にクロスさせて形成したものである。
また、図２４のパターンでは、縦方向に延びる深い排水溝３に加えて、斜め方向に交差する深い排水溝３ａを形成させ、この深い排水溝３ａと平行状に各凸条面４に浅い排水溝５を形成させたものである。
また、図２５のパターンでは、縦方向に延びる複数の深い排水溝３に対し、横方向に直交する深い排水溝３ａを形成させ、この深い排水溝３ａに平行状に各凸条面４に浅い排水溝５を形成させたものである。
【００２１】
また、図２６のパターンでは、縦方向に延びる複数の深い排水溝３に対し、横方向に直交する深い排水溝３ａを碁盤の目状に形成させ、深い排水溝３および３ａに平行状をなす浅い排水溝５を形成させたものである。
また、図２７に示すパターンでは、複数の深い排水溝３，３間を、横方向に直交する３本の平行な浅い排水溝５で繋げ、３本の平行な浅い排水溝５を間隔をおいて複数形成させたものである。
また、図２８に示すパターンでは、深い排水溝３に横方向の浅い排水溝５を直交させて、碁盤の目状に形成するとともに、浅い排水溝５，５間に更に平行状に別の浅い排水溝５を形成させたものである。
また、図２９に示すパターンでは、複数の深い排水溝３，３間に幅寸法の異なる凸条面４を形成させ、複数の深い排水溝３に直交状に横方向に延びる浅い排水溝５を形成させたものである。
【００２２】
また、図３０に示すパターンでは、縦方向の深い排水溝３と横方向の深い排水溝３ａを直交状にして形成させて碁盤の目状とし、この各碁盤の目内に、縦方向と横方向の浅い排水溝５を形成させたものである。
また、図３１に示すパターンでは、縦方向に平行に延びる深い排水溝３と、横方向に平行に延びる深い排水溝３ａで碁盤の目を形成させ、各碁盤の目内に、更に横方向の深い排水溝３ｂを形成させるとともに、別の碁盤の目内には縦方向の深い排水溝３ｃを形成させ、この深い排水溝３ｂおよび３ｃと平行状をなす浅い排水溝５を各碁盤の目内に形成させたものである。
更に、図３２に示すパターンは、縦方向の深い排水溝３と横方向の深い排水溝３ａで碁盤の目状に形成させ、更に各碁盤の目内に、縦方向および横方向の浅い排水溝５を直交状に形成させたものである。
また、図３３に示すパターンでは、縦方向の深い排水溝３と横方向の深い排水溝３ａで碁盤の目状に形成させ、各碁盤の目内に、深い排水溝３ａに平行な浅い排水溝５を横方向に連続して形成させたものである。
【００２３】
また、図３４に示すパターンでは、交互に間隔を変えて縦方向に形成した深い排水溝３に対し、直交状に横方向に延びる浅い排水溝５を各凸条面４で位置をずらして形成したものである。
また、図３５に示すパターンでは、交互に間隔を変えて縦方向に延びる深い排水溝３と横方向に延びる深い排水溝３ａを形成させ、各凸条面４には縦方向の位置を変えて浅い排水溝５を形成させたものである。
なお、図２４，図３２のように、部分的に浅い排水溝５を形成していない凸条面４を形成しても良い。但し、本発明の効果を損なわないために、浅い排水溝５を形成していない凸条面４の面積は小さくし、その数は、全体の半分以下とすることが好ましい。
【図面の簡単な説明】
【００２４】
【図１】洗い場面の平面構成図である。
【図２】洗い場面の要部拡大斜視図である。
【図３】図２に対応させた変更例の要部拡大斜視図である。
【図４】図２に対応させた変更例の要部拡大斜視図である。
【図５】図２に対応させた変更例の要部拡大斜視図である。
【図６】図２の深い排水溝の断面構成図である。
【図７】図３における深い排水溝の断面構成図である。
【図８】図４における深い排水溝の断面構成図である。
【図９】図５における深い排水溝の断面構成図である。
【図１０】凸条面の頂点で切断した浅い排水溝の断面構成図である。
【図１１】図５において深い排水溝の溝底に沿って切断した浅い排水溝の構成図である。
【図１２】凸条面と深い排水溝の寸法図である。
【図１３】図５の場合の凸条面と深い排水溝の寸法図である。
【図１４】図２および図３における浅い排水溝の寸法図である。
【図１５】図４における浅い排水溝の寸法図である。
【図１６】図５における浅い排水溝の寸法図である。
【図１７】浅い排水溝の部分の拡大寸法図である。
【図１８】洗い場の深い排水溝と浅い排水溝で形成されるモザイクパターンの要部平面構成図である。
【図１９】洗い場の深い排水溝と浅い排水溝で形成されるモザイクパターンの要部平面構成図である。
【図２０】洗い場の深い排水溝と浅い排水溝で形成されるモザイクパターンの要部平面構成図である。
【図２１】洗い場の深い排水溝と浅い排水溝で形成されるモザイクパターンの要部平面構成図である。
【図２２】洗い場の深い排水溝と浅い排水溝で形成されるモザイクパターンの要部平面構成図である。
【図２３】洗い場の深い排水溝と浅い排水溝で形成されるモザイクパターンの要部平面構成図である。
【図２４】洗い場の深い排水溝と浅い排水溝で形成されるモザイクパターンの要部平面構成図である。
【図２５】洗い場の深い排水溝と浅い排水溝で形成されるモザイクパターンの要部平面構成図である。
【図２６】洗い場の深い排水溝と浅い排水溝で形成されるモザイクパターンの要部平面構成図である。
【図２７】洗い場の深い排水溝と浅い排水溝で形成されるモザイクパターンの要部平面構成図である。
【図２８】洗い場の深い排水溝と浅い排水溝で形成されるモザイクパターンの要部平面構成図である。
【図２９】洗い場の深い排水溝と浅い排水溝で形成されるモザイクパターンの要部平面構成図である。
【図３０】洗い場の深い排水溝と浅い排水溝で形成されるモザイクパターンの要部平面構成図である。
【図３１】洗い場の深い排水溝と浅い排水溝で形成されるモザイクパターンの要部平面構成図である。
【図３２】洗い場の深い排水溝と浅い排水溝で形成されるモザイクパターンの要部平面構成図である。
【図３３】洗い場の深い排水溝と浅い排水溝で形成されるモザイクパターンの要部平面構成図である。
【図３４】洗い場の深い排水溝と浅い排水溝で形成されるモザイクパターンの要部平面構成図である。
【図３５】洗い場の深い排水溝と浅い排水溝で形成されるモザイクパターンの要部平面構成図である。
【符号の説明】
【００２５】
１  洗い場面
２  排水口
３，３ａ，３ｂ，３ｃ  深い排水溝
４  凸条面
４ａ  立上面
５  浅い排水溝
６ａ，６ｂ  勾配折り目
ａ  深い排水溝と深い排水溝間の幅寸法
ｂ  深い排水溝の幅寸法
ｃ  深い排水溝の溝底と凸条面の頂上間の高さ寸法
ｄ  浅い排水溝の幅寸法
ｅ  浅い排水溝の高さ寸法
【図１】
2007262842.tif 000003
【図２】
2007262842.tif 000004
【図３】
2007262842.tif 000005
【図４】
2007262842.tif 000006
【図５】
2007262842.tif 000007
【図６】
2007262842.tif 000008
【図７】
2007262842.tif 000009
【図８】
2007262842.tif 000010
【図９】
2007262842.tif 000011
【図１０】
2007262842.tif 000012
【図１１】
2007262842.tif 000013
【図１２】
2007262842.tif 000014
【図１３】
2007262842.tif 000015
【図１４】
2007262842.tif 000016
【図１５】
2007262842.tif 000017
【図１６】
2007262842.tif 000018
【図１７】
2007262842.tif 000019
【図１８】
2007262842.tif 000020
【図１９】
2007262842.tif 000021
【図２０】
2007262842.tif 000022
【図２１】
2007262842.tif 000023
【図２２】
2007262842.tif 000024
【図２３】
2007262842.tif 000025
【図２４】
2007262842.tif 000026
【図２５】
2007262842.tif 000027
【図２６】
2007262842.tif 000028
【図２７】
2007262842.tif 000029
【図２８】
2007262842.tif 000030
【図２９】
2007262842.tif 000031
【図３０】
2007262842.tif 000032
【図３１】
2007262842.tif 000033
【図３２】
2007262842.tif 000034
【図３３】
2007262842.tif 000035
【図３４】
2007262842.tif 000036
【図３５】
2007262842.tif 000037